(57)【要約】【課題】ネットワークコンテンツの場所に補足情報を関連付けるシステムおよび方法を提供すること。【解決手段】本発明は、例えばインターネットアドレス等の特定手段を利用して、ネットワークコンテンツの場所に基づいて補足情報を提供する。これは、補足情報を含むようにコンテンツ自体を変更することを必要とせずに、コンテンツとともに追加的な情報を配布することを可能にする。特定手段の関連付けに基づく補足情報を提供することにより、本発明は、広告、メモ、チャットなどの補足情報を、例えばウェブページなどの、変更が加えられない所望のコンテンツとともにユーザに中継できるようにする。本発明の一事例では、インターネットのＵＲＬに広告が関連付けられ、広告主が、自身の事業に有益であると考える関連付けを購入することを可能にする。本発明の別の事例では、特定手段のファンクションを利用して、補足情報を関連付ける場所の集合を提供する。【選択図】図２
2006285979.tif 000002
【特許請求の範囲】
【請求項１】
ネットワークに基づくコンテンツの場所に情報を関連付けることを容易にするシステムであって、
ネットワークに基づくシステムの少なくとも１つの所望のコンテンツの場所に補足情報を関連付ける関連付けコンポーネントであって、前記所望のコンテンツの場所は、コンテンツ特定手段のファンクションを介して判定される関連付けコンポーネントと、
前記所望のコンテンツの場所がアクセスされると、前記補足情報をユーザに中継する配布コンポーネントと
を備えることを特徴とするシステム。
【請求項２】
前記配布コンポーネントは、前記補足情報を聴覚および／または視覚により前記ユーザに中継することを特徴とする請求項１に記載のシステム。
【請求項３】
前記コンテンツの場所は、少なくとも部分的に、ワールドワイドウェブページに関連付けられたコンテンツの場所からなることを特徴とする請求項１に記載のシステム。
【請求項４】
前記コンテンツ特定手段は、世界規模の通信システムのためのアドレス指定手段からなることを特徴とする請求項１に記載のシステム。
【請求項５】
前記アドレス指定手段は、ドメイン名および／またはドメインの数値表示された場所からなることを特徴とする請求項４に記載のシステム。
【請求項６】
前記ネットワークに基づくシステムは、イントラネットおよび／またはインターネットからなることを特徴とする請求項１に記載のシステム。
【請求項７】
前記補足情報は、チャット情報、フォームデータ、売買の勧誘、あるサービスを利用させる、かつ／またはあるサービスを回避させる勧誘、および／またはブランドの認知を高める表現からなることを特徴とする請求項１に記載のシステム。
【請求項８】
前記コンテンツ特定手段のファンクションは、インターネットのＵＲＬ（ユニバーサルリソースロケータ）に基づくファンクションからなることを特徴とする請求項１に記載のシステム。
【請求項９】
前記ファンクションは、正確にＵＲＬを一致させるファンクション、ＵＲＬの部分文字列を一致させるファンクション、表現のファンクション、コンテンツを一致させるファンクション、フォームデータを一致させるファンクション、および／またはＵＲＬの集まりを生成するファンクションからなることを特徴とする請求項８に記載のシステム。
【請求項１０】
請求項１に記載のシステムを少なくとも部分的に利用して、コンテンツの場所に関連付けられた広告活動を購入することを容易にすることを特徴とするシステム。
【請求項１１】
ネットワークコンテンツの場所に広告を関連付けることを容易にする方法であって、
場所に基づくファンクションを利用して、ネットワーク上の少なくとも１つの所望のコンテンツの場所を判定するステップと、
前記所望のコンテンツの場所に少なくとも１つの広告を関連付けるステップと、
前記所望のコンテンツの場所がアクセスされた時に前記広告を中継するステップと
を備えることを特徴とする方法。
【請求項１２】
前記ネットワークは、イントラネットおよび／またはインターネットからなることを特徴とする請求項１１に記載の方法。
【請求項１３】
前記コンテンツの場所は、インターネットのウェブページアドレスからなることを特徴とする請求項１１に記載の方法。
【請求項１４】
前記所望の場所に関連するコンテンツに関連付けられたサイドウィンドウを介して前記広告を表示するステップ
をさらに備えることを特徴とする請求項１１に記載の方法。
【請求項１５】
場所に基づくファンクションを用いて前記所望の場所を判定するステップをさらに備え、前記ファンクションは、正確なコンテンツの場所の一致、コンテンツの場所の部分文字列の一致、コンテンツの場所の表現の判定、および／またはコンテンツの場所の集まりの生成を利用することを特徴とする請求項１１に記載の方法。
【請求項１６】
前記所望の場所は、ドメイン、ルートドメイン、および／またはＵＲＬ（ユニバーサルリソースロケータ）からなることを特徴とする請求項１１に記載の方法。
【請求項１７】
請求項１１に記載の方法を少なくとも部分的に利用して広告を購入することを特徴とする方法。
【請求項１８】
ネットワークに基づくコンテンツの場所に情報を関連付けることを容易にするシステムであって、
ネットワークに基づくシステムの少なくとも１つの所望のコンテンツの場所に補足情報を関連付ける手段であって、前記所望のコンテンツの場所は、コンテンツ特定手段のファンクションを介して判定される手段と、
前記所望の場所がアクセスされた時に前記補足情報をユーザに中継する手段と
を備えることを特徴とするシステム。
【請求項１９】
請求項１１に記載の方法を用いることを特徴とするインターネットウェブブラウザ。
【請求項２０】
コンピュータ、サーバ、ハンドヘルド電子デバイスからなる群から選択される少なくとも１つからなる、請求項１に記載のシステムを用いることを特徴とするデバイス。
【発明の詳細な説明】
【技術分野】
【０００１】
本発明は、一般には情報の配布に関し、より詳細には、ネットワーク上のコンテンツの場所に補足情報を関連付けるシステムおよび方法に関する。
【背景技術】
【０００２】
高コストで低パフォーマンスのデータ処理システムから、低コストで高パフォーマンスの通信システム、問題解決システム、および娯楽システムへのコンピュータとネットワーク技術の発展により、通信、請求の支払い、買い物、予算編成、情報収集といった日常作業を行う手間を軽減する、費用対効果が高く、時間を節約できる手段がもたらされた。例えば、有線技術または無線技術を介してインターネットとのインタフェースをとるコンピューティングシステムが、世界中にある多数のウェブサイトとサーバにある豊富な情報にいながらにしてほぼ瞬時にアクセスするための経路をユーザに与えることができる。
【０００３】
通例、ウェブサイトとサーバを介して得ることができる情報は、ウェブクライアント（例えばコンピュータ）で実行されるウェブブラウザを介してアクセスされる。例えば、ウェブユーザは、ウェブブラウザをデプロイし、ウェブサイトのＵＲＬ（ユニフォームリソースロケータ）（ウェブアドレスおよび／またはインターネットアドレス）をウェブブラウザのアドレスバーに入力し、キーボードのＥｎｔｅｒキーを押すか、マウスで「ｇｏ」ボタンをクリックすることにより、ウェブサイトにアクセスすることができる。アクセスは、情報交換のための規則と標準のセット、ウェブサイトの場所、ウェブサイトを維持している組織の名前、およびその組織の種類を識別する接尾辞（ｃｏｍ、ｏｒｇ、ｎｅｔ、ｇｏｖ、ｅｄｕ等）を指示するプロトコル（コンピュータが相互に通信するための言語）によって容易にされる。あるいは、ユーザが一般的な検索エンジンにキーワードを入力し、その検索エンジンが、ワールドワイドウェブあるいは他のサイトの集まり（イントラネットなど）全体を検索し、そのキーワードに関連するとエンジンが判断したサイトを返す。そして、ユーザは、そのウェブページを閲覧するために検索結果の１つを選択することができる。
【発明の開示】
【発明が解決しようとする課題】
【０００４】
ウェブページ自体は、ユーザが探している可能性のある「コンテンツ」または情報を含んでいる。したがって、ＵＲＬは、インターネットあるいは他のネットワークを介して情報を見つけるための手段として利用される。ユーザがウェブページを選択することにより継続的に情報を探している時、それは、「ブラウジング」、あるいは時には「ネットサーフィン」と呼ばれる。ブラウザウィンドウは、ウェブページの内容を表示し、通例は、「進む」、「戻る」、「中止」等、ウェブ内容ウィンドウのコントロールに関連する何らかのタイプのウェブブラウズのコントロールを提供する。しかし、ブラウザウィンドウは、選択されたウェブページに関する追加的な情報は一切提供しない。しばしば、特に広告を行う事業には、その情報をウェブページ内容の一部とする必要なしに、広告などの追加的な情報を選択されたウェブページに関連付けることが望まれる。これは、実際のウェブページに変更を加えることなく、追加的な情報を配布することを可能にする。
【課題を解決するための手段】
【０００５】
以下に、本発明の一部の態様の基本的理解を提供するために、本発明の要約を簡潔に述べる。この要約は、本発明の広範囲にわたる概要ではない。本発明の主要／不可欠な要素を明らかにするものでも、本発明の範囲を詳述するものでもない。その唯一の目的は、その後に述べるより詳細な説明の前置きとして、簡略化した形で本発明のいくつかの概念を述べることである。
【０００６】
本発明は、一般には情報の配布に関し、より詳細には、ネットワークコンテンツの場所に補足情報を関連付けるシステムおよび方法に関する。例えばインターネットアドレスなどの特定手段が利用されて、ネットワークコンテンツの場所に基づいて補足情報を提供する。これは、情報を含むようにコンテンツ自体を変更することを必要とせずに、コンテンツとともに情報を配布することを可能にする。特定手段（ｌｏｃａｔｉｎｇ  ｍｅａｎｓ）の関連付けに基づく補足情報を提供することにより、本発明は、例えば広告、メモ、チャットなどの情報を、例えばウェブページなどの変更が加えられない所望のコンテンツとともにユーザに中継できるようにする。本発明の一事例では、特定手段に基づくファンクションが利用されて、補足情報を関連付ける場所の集合を得る。これは、例えばウェブページに見つかるキーワードなどの従来のコンテンツに基づく関連付けではなく、場所の間に何らかの関係がある複数の場所に補足情報を関連付けることを可能にする。本発明の他の事例では、例えば特定の所望のコンテンツ（例えばキーワード）などの追加的なパラメータと併せて特定手段のファンクションを利用して、場所に基づく補足情報の関連付けをさらにフィルタリングすることができる。本発明の別の事例では、ＵＲＬに広告が関連付けられ、広告主が、自身のビジネスにとって有益であると考える関連付けを購入できるようにする。このように、本発明は、ネットワークコンテンツの場所への補足情報の関連付けを介して情報の配布を大幅に強化し、コンテンツの場所に関連する追加的な情報を提供する一方でコンテンツは変更されないままに保つことができ、しばしばプロセスで収益を生じさせる。
【０００７】
前述の目的およびそれに関連する目的を達成するために、以下の説明と添付図面との関係で本発明の特定の例示的態様を説明する。ただし、これらの態様は、本発明の原理が用いられることが可能な各種方式の数例に過ぎず、本発明は、そのような態様とその均等物をすべて包含するものとする。本発明の他の利点および新規の特徴は、図面と併せて以下の本発明の詳細な説明を読むことから明らかになろう。
【発明を実施するための最良の形態】
【０００８】
次いで図面を参照して本発明を説明するが、すべての図面を通じて同様の要素は同様の参照符号を使用して参照する。以下の説明では、説明の目的で、本発明の完全な理解を提供するために多数の具体的な詳細事項を述べる。しかし、本発明は、それらの具体的な詳細事項なしでも実施できることは明らかであろう。他の事例では、本発明の説明を助けるために、よく知られる構造およびデバイスはブロック図の形で示す。
【０００９】
本願で使用される用語「コンポーネント」は、ハードウェア、ハードウェアとソフトウェアの組合せ、ソフトウェア、実行中のソフトウェアを問わず、コンピュータに関連するエンティティを指すものとする。例えば、コンポーネントは、これらに限定しないが、プロセッサで実行されるプロセス、プロセッサ、オブジェクト、実行ファイル、実行のスレッド、プログラム、および／またはコンピュータ等である。具体例として、サーバで実行されるアプリケーションとサーバの両方がコンピュータコンポーネントとなりうる。プロセスおよび／または実行のスレッドの中には１つまたは複数のコンポーネントが存在することができ、また、コンポーネントは、１台のコンピュータに局所化しても、かつ／または２台以上のコンピュータに分散してもよい。「スレッド」とは、オペレーティングシステムカーネルが実行をスケジュールする、プロセス中のエンティティである。当技術分野でよく知られるように、各スレッドは、そのスレッドの実行に関連する揮発性のデータである、関連付けられた「コンテクスト」を有する。スレッドのコンテクストには、システムレジスタの内容や、そのスレッドのプロセスに属する仮想アドレスが含まれる。したがって、スレッドのコンテクストを構成する実際のデータは、実行時に様々に異なる。
【００１０】
本発明は、ネットワーク上に見つけられるコンテンツの場所に補足情報を関連付けることを可能にするシステムおよび方法の事例を提供する。これは、コンテンツの場所がアクセスされた時に、追加的な情報をユーザに中継できるようにする。関連付けは、補足情報を複数の場所にリンクすることもでき、それらの場所は、コンテンツ特定手段（ｃｏｎｔｅｎｔ  ｌｏｃａｔｉｎｇ  ｍｅａｎｓ）のファンクションに基づいて選択されることができる。したがって、本発明の一事例では、インターネットのＵＲＬがコンテンツ特定手段として利用され、ＵＲＬのファンクションに基づいて広告がウェブページに関連付けられる。そして、ユーザは、その広告に関連付けられた特定のＵＲＬおよび／またはＵＲＬのセットにアクセスした時に、広告を見る、かつ／または広告を聞くことができる。本発明は、コンテンツ特定手段の関連付けと併せて広告購入方式を利用することを可能にする事例も提供する。これは、企業が、顧客を生む可能性、および／またはブランドの認知を高める可能性がより高いウェブアドレスに自社の広告を結びつけることを可能にする。広告自体は、これらに限定しないが、売買の勧誘、サービスを利用させる、かつ／またはあるサービスを回避させる勧誘、および／またはブランドの認知を高めるための表現等を含むことができる。コンテンツ特定手段との関連付けを可能にすることにより、例えばチャット討論、フォームデータ、追加的なハイパーリンクなどのコンテンツがアクセスされた時に、追加的な情報もユーザに提示されることができる。所望のコンテンツの場所を選択する基準は、例えばウェブページ上のキーワード、ウェブページで入力される特定のフォームデータ、ウェブページで入力される検索語、およびウェブページの一般的コンテンツなどを含む、特定手段のファンクションに基づいて選択されることもできる。
【００１１】
図１に、本発明の一態様による補足情報関連付けシステム１００のブロック図を示す。補足情報関連付けシステム１００は、場所１０４を受け取り、適切な場合には関連付けられた補足情報１０６を提供する補足情報関連付けコンポーネント１０２から構成される。補足情報１０８は、受け取られた場所１０４から入手され、少なくとも１つの所望の場所に関連付けられる。補足情報関連付けコンポーネント１０２は、所望の場所に一致するアクセスされた場所１１０を受け取ると、関連付けられた補足情報１０６を中継する。本発明の一事例では、所望の場所は、特定手段のファンクションに基づいて判定される。したがって、要求される場所は、そのファンクションによって関係付けられた複数の場所からなることができる。例えば、特定手段は、インターネットのＵＲＬとすることができ、ファンクションは、「ｄｏｇ」を含んでいるすべてのＵＲＬとすることができる。したがって、補足情報１０８は、「ｄｏｇ」を含んでいるすべてのＵＲＬに関連付けられる。ｄｏｇを含んでいるＵＲＬがアクセスされると、補足情報関連付けコンポーネント１０２は、関連付けられた補足情報１０６として補足情報１０８をユーザに中継する。補足情報の中継は、例えば視覚および／または聴覚を利用した手段などの感覚的手段（ｓｅｎｓｏｒｙ  ｍｅａｎｓ）を含むことができる。接触および／またはにおいなどの他の感覚を利用した手段を取り入れることも可能である。例えば、「ｆｌｏｗｅｒ」を含むＵＲＬがアクセスされた時にさわやかな花の香りが発する、かつ／または「ｅａｒｔｈｑｕａｋｅ」を含むＵＲＬがアクセスされた時に振動が発生する等が可能である。したがって、補足情報１０８は、例えばテキスト、グラフィック、電気信号、感覚信号（ｓｅｎｓｏｒｙ  ｓｉｇｎａｌ）などを含むことができる。
【００１２】
図２を参照すると、本発明の一態様による補足情報関連付けシステム２００の別のブロック図が示される。補足情報関連付けシステム２００は、ネットワークコンテンツの場所２０４を受け取り、関連付けられた補足情報２０６を提供する補足情報関連付けコンポーネント２０２からなる。補足情報関連付けコンポーネント２０２は、関連付けコンポーネント２０８と配布コンポーネント２１０からなる。関連付けコンポーネント２０８は、ネットワークコンテンツの場所２０４を受け取り、特定手段のファンクション２１２を利用して、少なくとも１つの所望のコンテンツの場所を補足情報２１４に関連付ける。図では分けて示すが、特定手段のファンクション２１２は、関連付けコンポーネント２０８の中に存在することができる。所望のコンテンツの場所に関連付けられることができる補足情報２１４には、例えば、ＵＲＬ、ドメイン、ルートドメイン、広告、フォームデータ等からなる情報入力２１６が含まれることができる。補足情報２１４は、上記で詳しく述べた感覚情報も含むことができる。補足情報２１４および／または何らかの形態の補足情報２１４は、所望の場所がアクセスされた時にユーザに中継される。
【００１３】
関連付けコンポーネント２０８は、特定手段のファンクション２１２を利用して所望のコンテンツの場所を判定する。特定手段のファンクション２１２は、例えばＵＲＬの部分文字列、ある場所のコンテンツに関連付けられたキーワード、ある場所に関連付けられたウェブページで入力される特定のフォームデータ、特定のドメインおよび／またはルートドメインを有するすべてのＵＲＬ、および／または上記の組合せ等のファンクションを含むことができる。追加的なファンクションについては下記で詳細に述べる。ファンクションの入力２２０は、特定手段のファンクション２１２とともに利用することができる入力タイプの例を表す。例えば、特定のフォームデータおよび／または検索クエリデータを含んでいるすべてのネットワークコンテンツの場所２０４が判定される；特定の部分文字列を含んでいるすべてのＵＲＬが判定される；かつ／または特定のドメインであるすべての場所が判定される等が可能である。単純な形態では、特定手段のファンクション２１２は、例えばあるインターネットウェブページの特定のＵＲＬなど、１つのコンテンツの場所を生成することができる。配布コンポーネント２１０は、関連付けコンポーネント２０８から、所望のコンテンツの場所と、それに関連する補足情報を受け取る。配布コンポーネント２１０は、アクセスされた場所２１８を受け取り、そのアクセスされた場所２１８が、所望のコンテンツの場所に相当するかどうかを判定する。相当する場合は、関連付けられた補足情報２０６としてその補足情報がユーザに中継される。関連する補足情報は、複数の所望の場所に関連付けることができ、それらの場所のいずれかがアクセスされた時に中継されることができる。
【００１４】
本発明は、ネットワーク上のコンテンツの場所に補足情報を関連付けることを可能にするシステムおよび方法の事例を提供する。これは、特にイントラネットやインターネットなどのネットワークで有用である。これらのタイプのネットワークは両方とも、インターネットウェブブラウザのような類似した閲覧技術を利用している。ウェブブラウザは、ユーザが、通例は遠隔のネットワーク上の場所から取り出される情報である「ウェブページ」を閲覧することを可能にする。情報の取り出しは、例えばドメイン名および／またはＵＲＬを介するなど、ネットワークによって用いられる「特定手段」によって行われる。したがって、ユーザは、ブラウザを介してそうしたネットワーク上のコンテンツの場所にアクセスすることにより、ネットワーク上のコンテンツを見つける。本発明の事例は、ウェブブラウザを介してアクセスされたウェブページに追加的な情報を関連付ける手段を提供する。
【００１５】
例えば、追加的な情報あるいは「補足情報」には、これに限定しないが、オンライン広告などが含まれる。本発明の一事例は、ウェブページ上に見つかるキーワードではなく、例えば特定のＵＲＬに広告を関連付けることができる。ドメイン名、場所＋ページの内容、フォームデータなどとの、より一般的な関連付けも本発明の事例によって用いられることができる。例えば、ある製造業者が、自社のデジタルカメラの新製品を広告したいとする。製造業者は恐らくは、その広告を「デジタルカメラ」のようなキーワードに関連付けるのではなく、www.dpreview.comのような特定のサイト、あるいはhttp://www.dpreview.com/misc/search.aspのような特定のＵＲＬに広告を関連付けることを望むはずである。
【００１６】
したがって、本発明の事例は、現在は可能でない情報の配布および／または収入源の機会をもたらす。例えば、企業が、例えば競争相手のホームページなど、競争相手の製品のそばに自社製品を広告することができる。小売業者が、競争相手業者のウェブサイト上に自社のより低い価格を宣伝することもできる。このように、本発明の事例は、市場の競争を促進することを助け、同時に、収入をもたらす製品および／またはサービスを提供する。また、本発明の事例は、的を絞った補足情報を提供することができる（例えば、ユーザが書籍の販売業者のウェブサイトで特定の本を見ている時、映画の配給業者のウェブサイトで特定の映画を調べている時などに宣伝をすることができる）ので、より一般的なキーワードに基づく情報よりも高い価値を備える（ｃｏｍｍａｎｄ）ことができる。
【００１７】
（特定手段）  
本発明の事例は、ネットワーク上の所望のコンテンツの場所を判定する際に、各種タイプの特定手段を利用することができる。例えば、インターネットに基づく特定手段の場合でも、いくつかの異なる種類のコンテンツの場所のアドレスを利用することができる。例えば特定のＵＲＬに補足情報を関連付ける以外にも、本発明の事例では次のような他のより一般的な特定手段を利用することができる。
・ＵＲＬ（例えばhttp://www.cs.washington.edu/homes/mattrやhttp://www.google.com/search?q=mattなど）  
・ドメイン（www.cs.washington.eduなど）  
・ルートドメイン（washington.eduなど）  
・特定手段＋キーワード（ＵＲＬ＋「人工知能」あるいは「猫」など）  
キーワードは、例えば、ウェブページに出現する単語および／またはユーザによるウェブページのラベリングを介して提供される単語とすることができる  
・特定手段＋ウェブページのクラス（オープンディレクトリプロジェクトで、あるカテゴリに関連付けられたすべてのページなど）  
・特定手段＋内容（「８７年前に．．」で始まるあらゆるページなど）  
・ウェブページのクラス（オープンディレクトリプロジェクトの下でそのウェブページが分類されるカテゴリなど）  
・フォームデータ（「９８１０３」が郵便番号として与えられるコンテンツの場所、あるいは語「データ」および「マイニング」を含んでいる検索クエリが入力されたコンテンツの場所等）  
・ＵＲＬのリスト（例えばサードパーティから「ｌｕｘｕｒｙ  ＵＲＬ」の集まりを購入することができる）  
・人口統計（訪問者の７０％以上が男性で５０％以上が５０歳以上であるＵＲＬ。あるいは、そのＵＲＬへの訪問者の少なくとも５０％がそのＵＲＬを訪れてから１ヶ月の期間内にｎｂａ．ｃｏｍも訪問するＵＲＬ等）  
当業者は、他のタイプのネットワークでは、上記で詳述されないが本発明の範囲内にある他の特定手段を用いることができることを理解できよう。
【００１８】
（特定手段のファンクション）  
本発明の事例は、これらに限定しないが、補足情報が関連付けられる所望のコンテンツの場所を指定するためにユーザが用いることができる一致技術を含む特定手段のファンクションを利用することができる。例えば、ユーザが例えば様々なウェブページに関連付けたい補足情報として広告を利用すると、ユーザは、種々の方法を用いて所望のウェブページを次のように選択することができる。
１）正確なコンテンツの場所の一致（例えばhttp://www. cnn.com/articles/04532,123のようなＵＲＬを指定する）。  
２）コンテンツの場所の部分文字列との一致（ＵＲＬの部分文字列を指定する。例えば「ｄｏｇ」はhttp://thedoghouse.com/training.htmlと一致する）。  
３）正規表現および／または単純なワイルドカードなどの表現との一致。「^ｄｏｇ．[Ｃｃ]ａｔ＄」は、「ｄｏｇ」で始まり「ｃａｔ」または「Ｃａｔ」で終わるあらゆるＵＲＬと一致することができる正規表現であり、「Ｄｏｇ＊Ｃａｔ？」は、「Ｄｏｇ」で始まり、「Ｃａｔ」で終わり、その後にもう１文字あるＵＲＬを意味するワイルドカードを使用している。  
４）上記の一致方法のいずれかを、ＵＲＬ全体ではなくドメイン名のみに適用する。  
５）上記の方法のいずれかを他のコンテンツの場所の一致方法と併用する（例えばＵＲＬとの一致および／またはキーワードの一致、フォームデータの一致等の他の方法）。例えば、「ｃｎｎ．ｃｏｍ」が含まれるＵＲＬと一致し、かつ内容が「mississippi」も含んでいる等。  
６）「ＡＮＤ」、「ＯＲ」、「ＮＯＴ」のような論理的連結語を使用して、上記に式を適用する。例えば、「substringmatch(dog) and not substringmatch(cat)」は、「ｄｏｇ」は含むが「ｃａｔ」を含まないすべてのＵＲＬになる。  
７）コンテンツの場所の集まりとの一致。例えば、基準を満たすＵＲＬの集合が１つの集まりを形成することができる。これは、正確な一致の集合に対して「ＯＲ」を利用する６）の方法を含む。
【００１９】
コンテンツの場所の集まりを「生成する」追加的な方法も本発明の事例で用いられることができる。例えば、ＵＲＬが指定され、そのＵＲＬ、またはその場所の内容が指定されたＵＲＬの内容と類似する他のＵＲＬに基づいて一致させることができる。そのようにして、ＵＲＬのリストを生成することができ、そのリストをさらに上記のプロセスの１つまたは複数で処理することができる。集まりは、例えばコンテンツの類似性、ウェブのトポロジ、クエリとクリックの振る舞いなどの基準にも基づくことができる。本発明の他の事例では、類似性の基準を利用して特定手段のファンクションを助けることができる。例えば、一致のためには内容が「どれだけ類似性があるべきか」をユーザに指定させることができる。これは、ユーザが例えば、単語「ｄｏｇ」を含んでおり、例えばhttp://petfood.comと０．７より大きい類似性を有するＵＲＬに広告を表示することを可能にする。
【００２０】
当業者は、例えばドメイン、ルートドメイン、数値アドレス、および他のアドレス指定方法などの他の特定手段が、上記の特定手段のファンクションを用いることができ、本発明の範囲内にあることを理解されよう。同様に、所望のコンテンツの場所を提供するために特定手段を少なくとも部分的に利用する、上記で詳述しない他のファンクションも本発明とともに用いることができ、本発明の範囲内にある。
【００２１】
（中継技術）  
補足情報は、各種の方式で中継されることができる。中継方法は、伝達される補足情報のタイプに基づくことができる。例えば補足情報がテキストおよび／またはグラフィックである場合は、アクセスされたコンテンツの近くに表示されるウィンドウを介して中継されることができる。例えば、補足情報は、ユーザがウェブを閲覧している時にウェブブラウザの「サイドバー」に表示されることができる。同様に、補足情報が音声情報である場合は、例えばウェブページが表示される時など、コンテンツの場所がアクセスされた時に再生されることができ、同時にテキスト情報および／またはグラフィック情報を表示してもしなくてもよい。他の感覚手段も利用することができ、例えばにおいを提供する手段を利用することができる場合は、特定のウェブページがアクセスされた時にさわやかな花の香りが発生源から発することができる。これは、香水などの宣伝の目的、かつ／または花を販売するために行われることができるが、各種の理由のために特定のウェブページにユーザをより長く滞在させる、あるいは滞在する時間を短くするためにも行うことができる（例えばある企業のウェブサイトを訪れている時にはよいにおいにし、競争相手のウェブサイトを訪れている時は嫌なにおいにするなど）。
【００２２】
運動装置（ｍｏｔｉｏｎ  ｄｅｖｉｃｅ）を利用できる場合は、例えばユーザが「earthquake.com」を訪れた時に振動が開始されることができる。本発明の他の事例には電気信号および／またはパルスも組み込まれることができる。そうしたタイプの信号を使用して、ユーザと直接（例えばユーザの注意を引くための軽い衝撃）、かつ／または間接的に（部屋の照明をつける、コンピュータの電源を切る、室温を上げ下げするなど）対話することができる。製品の認識を高めるため、かつ／または娯楽としての価値のために、視覚、音、および／または動きなど各種の感覚手段の利用も各種の組合せで用いられることができる。当業者は、コンピューティング技術と、例えばインターネットなどのそのようなネットワークのための閲覧装置は、今後常に変化し、上記で述べなかった他の中継手段も本発明の範囲内にあることを認識されよう。
【００２３】
本発明の事例によって利用される補足情報は、例えばユーザによるメモおよび／または企業の広告などの各種の供給源から供給されることができる。本発明の事例では、供給源を何らかの方式で区別して、補足情報の出所を隠す（ｏｂｖｉａｔｅ）ことを助けることができる。したがって、本発明の一事例は、例えば、特定の地域では広告を表示することを許可し、同時に、ユーザのウェブ閲覧体験全体を通じて特定のネットワーク上の場所に関する他のユーザからのメモおよび／またはチャット情報も表示して、ユーザの満足感、広告収入、広告の露出を最適化する。
【００２４】
上記のサイドバーの例を進めると、本発明の事例は、メインのウェブブラウザパネルで表示されているウェブページを認識するサイドバーを利用することができ、したがって、その知識に基づいて広告の対象を絞ることができる。例えば、特定のＵＲＬについての広告を買うことを望む広告主から収入が生じることができる。フライフィッシングのルアーの製造業者は、恐らく、ユーザがwww.flyfish.comを訪れた時に広告を出すことを望む。（無論、「広告」はいわゆる広告である必要はない。ユーザは、それが商業広告であるかないかに関係なく、ウェブページに補足情報を関連付け、その情報が表示されることを保証するために代価を払っても構わない場合がある。）
【００２５】
上記で図示し、説明した例示的システムを考慮して、図３〜５のフローチャートを参照すると本発明によって実施することが可能な方法論がよりよく理解されよう。説明を簡潔にするために、方法論はブロックの連続として図示および説明するが、本発明はブロックの順序によって制限されず、一部のブロックは、本発明により、図示され、記載される順序とは異なる順序で、かつ／または他のブロックと同時に行うことができることは理解されよう。さらに、本発明による方法論を実施するために図示するすべてのブロックが必要とは限らない。
【００２６】
本発明は、１つまたは複数のコンポーネントによって実行されるプログラムモジュールなどのコンピュータ実行可能命令の一般的なコンテクストで説明することができる。一般に、プログラムモジュールには、特定のタスクを行うか、特定の抽象データ型を実装するルーチン、プログラム、オブジェクト、データ構造等が含まれる。通例、プログラムモジュールの機能は、本発明の各種事例により、必要に応じて組み合わせても分散してもよい。
【００２７】
図３に、本発明の一態様による、ネットワークコンテンツの場所への補足情報の関連付けを助ける方法３００の流れ図が示される。方法３００はステップ３０２で開始し、場所に基づくファンクションを利用して、ネットワーク上の少なくとも１つの所望のコンテンツの場所を選択する（ステップ３０４）。この場所は、例えばドメイン、ルートドメイン、ＵＲＬ、および／または上記で解説した他のアドレス指定手段などの特定手段によってアドレス指定されることができる。ネットワーク自体には、これらに限定しないが、イントラネット、インターネット、および／または他のタイプのネットワーク等が含まれる。場所に基づくファンクションは、ＵＲＬ、ドメイン、ルートドメイン、および／または他のアドレス指定手段に基づくファンクションと、内容のキーワード、検索語、および／またはフォームデータなどと組み合わせたアドレス指定手段に基づくファンクションも含むことができる。次いで、所望の場所に補足情報が関連付けられる（ステップ３０６）。所望の場所は、場所に基づくファンクションおよび／または人間の介在によって決定された複数の所望の場所を含むことができる。補足情報自体には、例えば、広告、フォームデータ、チャット情報、音声情報、ビデオ情報、および／または他の情報と他の形態の情報などが含まれうる。そして、所望の場所がアクセスされると補足情報がユーザに中継され（ステップ３０８）、フローを終了する（ステップ３１０）。ユーザには、複数のユーザおよび／またはユーザのグループが含まれることができる。アクセスは、ユーザにより、直接および／または間接的に達成されることができる。補足情報の中継には、視覚、聴覚、および／または他の感覚を利用した情報の配布手段と、電気信号等が含まれることができる。補足情報は、例えばウェブページのブラウザウィンドウの隣にあるサイドウィンドウに表示されることができる。
【００２８】
図４を参照すると、本発明の一態様による、ネットワークコンテンツの場所への広告の関連付けを助ける方法４００の流れ図が示される。方法４００はステップ４０２で開始し、場所に基づくファンクションを利用してネットワーク上の少なくとも１つの所望のコンテンツの場所を判定する（ステップ４０４）。この場所は、例えばドメイン、ルートドメイン、ＵＲＬ、および／または上記で述べた他のアドレス指定手段などの特定手段でアドレス指定されることができる。ネットワーク自体には、これらに限定しないが、イントラネット、インターネット、および／または他のタイプのネットワーク等が含まれる。場所に基づくファンクションには、ＵＲＬ、ドメイン、ルートドメイン、および／または他のアドレス指定手段に基づくファンクションと、内容のキーワード、検索語、および／またはフォームデータなどと組み合わせたアドレス指定手段に基づくファンクションが含まれる。次いで、所望の場所に広告が関連付けられる（ステップ４０６）。所望の場所には、場所に基づくファンクションおよび／または人間の介在によって決定される複数の所望の場所が含まれうる。広告には、例えば、テキストによる広告、グラフィックを使用した広告、音声広告、ビデオによる広告、および／または他のタイプの感覚を利用した広告あるいは電気信号などが含まれる。次いで、所望の場所がアクセスされるとユーザに広告が中継され（ステップ４０８）、フローを終了する（ステップ４１０）。ユーザには、複数のユーザおよび／またはユーザのグループが含まれうる。アクセスは、ユーザにより、直接および／または間接的に達成されることができる。広告の中継には、視覚、聴覚および／または他の感覚を利用した情報の配布手段、および／または電気信号等が含まれる。広告は、例えば、ウェブページのブラウザウィンドウの隣のサイドウィンドウに表示する、かつ／またはウェブページが閲覧されている間にスピーカを通じて再生される等することができる。
【００２９】
図５を参照すると、本発明の一態様による、ネットワークコンテンツの場所への広告の関連付けについての対価の獲得を容易にする方法５００の流れ図が示される。方法５００はステップ５０２で開始し、ウェブページの場所に基づく広告に関連するデータを受け取る（ステップ５０４）。このデータには、これらに限定しないが、場所に基づくファンクションのタイプ、広告のサイズおよび／またはタイプ、所望のウェブページとの関連付けの量、広告を中継する手段、および／または関連付けられるウェブページの価値等が含まれる。一般に、本発明の事例化を利用して関連付けられるすべてのデータは、受け取られるこのデータに含めることができる。次いで、ウェブページの場所を判定し、関連付けを確立し、かつ／または広告を中継する等についての対価が要求され（ステップ５０６）、フローを終了する（ステップ５０８）。本発明の事例化のプロセスステップは、パラメータの１つに基づいて、かつ／または１つのプロセス全体に基づいて広告を購入することができるように、評価し、価格をつけることができる。したがって、本発明の一事例は、ウェブページの場所にアクセスすることに基づいて広告を購入する方法を含むことができる。価値の判断は、例えば、関連付けられるウェブ上の場所の数、広告のサイズ、広告のタイプ（オーディオ／ビデオ等）、場所の関連付けを確立する際の難しさ（例えば特定手段のファンクションの複雑度）、および／または広告を配信する難しさ（帯域幅の使用量など）によって求めることができる。購入の方法は、直接的な販売および／または競売などを介することができる。
【００３０】
本発明の各種態様を実施するための追加的なコンテクストを提供するために、図６と以下の説明では、本発明の各種態様が実施されることが可能な適切なコンピューティング環境６００の簡単で概略的な説明を提供する。上記ではローカルコンピュータおよび／またはリモートコンピュータで実行されるコンピュータプログラムのコンピュータ実行可能命令の一般的コンテクストで本発明を説明したが、当業者は、本発明は、他のプログラムモジュールと組み合わせて実施することも可能であることを認識されよう。一般に、プログラムモジュールには、特定のタスクを行うか、かつ／または特定の抽象データ型を実装するルーチン、プログラム、コンポーネント、データ構造等が含まれる。さらに、当業者には理解されるように、本発明の方法は、シングルプロセッサまたはマルチプロセッサのコンピュータシステム、ミニコンピュータ、メインフレームコンピュータ、パーソナルコンピュータ、ハンドヘルド型のコンピューティングデバイス、マイクロプロセッサを利用した、かつ／またはプログラム可能な家電製品などを含む他のコンピュータシステム構成でも実施することができ、これらはそれぞれ、１つまたは複数の関連付けられたデバイスと動作上通信することができる。ここで説明される本発明の態様は、通信ネットワークを通じてつながれた遠隔の処理デバイスによって特定のタスクが行われる分散コンピューティング環境でも実施することができる。しかし、本発明の態様のすべてではなくとも一部は、独立型のコンピュータで実施されることができる。分散コンピューティング環境では、プログラムモジュールは、ローカルおよび／またはリモートのメモリ記憶装置に置くことができる。
【００３１】
本願で使用される用語「コンポーネント」は、ハードウェア、ハードウェアとソフトウェアの組合せ、ソフトウェア、実行中のソフトウェアを問わず、コンピュータに関連するエンティティを指すものとする。例えば、コンポーネントは、これらに限定しないが、プロセッサで実行されるプロセス、プロセッサ、オブジェクト、実行ファイル、実行のスレッド、プログラム、コンピュータ等である。具体例として、サーバで実行されるアプリケーションおよび／またはそのサーバがコンポーネントとなることができる。また、コンポーネントは、１つまたは複数の下位コンポーネントを含むことができる。
【００３２】
図６を参照すると、本発明の各種態様を実施するための例示的システム環境６００は、従来のコンピュータ６０２を含み、コンピュータ６０２は、処理装置６０４、システムメモリ６０６、およびシステムメモリを含む各種のシステム構成要素を処理装置６０４に結合するシステムバス６０８を含む。処理装置６０４は、市販のプロセッサでも、独自プロセッサでもよい。また、処理装置は、並列に接続することができるなど、２つ以上のプロセッサから形成されるマルチプロセッサとして実施することもできる。
【００３３】
システムバス６０８は、数例を挙げるとＰＣＩ、ＶＥＳＡ、Ｍｉｃｒｏｃｈａｎｎｅｌ、ＩＳＡ、ＥＩＳＡなどの各種の従来のバスアーキテクチャを使用した、メモリバスあるいはメモリコントローラ、ペリフェラルバス、ローカルバスを含む数種のバス構造のいずれでもよい。システムメモリ６０６は、ＲＯＭ（読み取り専用メモリ）６１０とＲＡＭ（ランダムアクセスメモリ）６１２を含む。起動時などにコンピュータ６０２内の要素間の情報転送を助ける基本ルーチンを含んだ基本入出力システム（ＢＩＯＳ）６１４は、ＲＯＭ６１０に記憶される。
【００３４】
コンピュータ６０２は、例えばハードディスクドライブ６１６、例えば取り外し可能ディスク６２０の読み取りまたは書き込みを行う磁気ディスクドライブ６１８、およびＣＤ−ＲＯＭディスク６２４や他の光学媒体の読み取りまたは書き込みを行う光ディスクドライブ６２２も含むことができる。ハードディスクドライブ６１６、磁気ディスクドライブ６１８、光ディスクドライブ６２２は、それぞれハードディスクドライブインタフェース６２６、磁気ディスクドライブインタフェース６２８、光ドライブインタフェース６３０でシステムバス６０８に接続される。ドライブ６１６〜６２２とそれに関連付けられたコンピュータ可読媒体は、データ、データ構造、コンピュータ実行可能命令等の不揮発性の記憶をコンピュータ６０２に提供する。上記のコンピュータ可読媒体の説明ではハードディスク、取り外し可能磁気ディスク、ＣＤを挙げたが、磁気カセット、フラッシュメモリカード、デジタルビデオディスク、ベルヌーイカートリッジなど、コンピュータ可読の他のタイプの媒体も例示的動作環境６００で使用することができ、さらに、そのような媒体はいずれも、本発明の方法を行うコンピュータ実行可能命令を保持することができることを当業者は理解されよう。
【００３５】
ドライブ６１６〜６２２とＲＡＭ６１２には複数のプログラムモジュールが記憶されることができ、これにはオペレーティングシステム６３２、１つまたは複数のアプリケーションプログラム６３４、他のプログラムモジュール６３６、およびプログラムデータ６３８が含まれる。オペレーティングシステム６３２は、任意の適切なオペレーティングシステムでも、オペレーティングシステムの組合せであってもよい。例として、アプリケーションプログラム６３４とプログラムモジュール６３６は、本発明の一態様による情報関連付けの方式を含むことができる。
【００３６】
ユーザは、キーボード６４０やポインティングデバイス（マウス６４２など）などの１つまたは複数のユーザ入力装置を通じてコンピュータ６０２にコマンドと情報を入力することができる。他の入力装置（図示せず）には、マイクロフォン、ジョイスティック、ゲームパッド、衛星受信アンテナ、無線リモコン、スキャナなどがある。上記および他の入力装置は、多くの場合は、システムバス６０８に結合されたシリアルポートインタフェース６４４を通じて処理装置６０４に接続されるが、パラレルポート、ゲームポート、ＵＳＢ（ユニバーサルシリアルバス）などの他のインタフェースで接続してもよい。モニタ６４６あるいは他のタイプの表示装置も、ビデオアダプタ６４８などのインタフェースを介してシステムバス６０８に接続される。モニタ６４６に加えて、コンピュータ６０２は、スピーカやプリンタなどの他の周辺出力装置（図示せず）を含むことができる。
【００３７】
コンピュータ６０２は、１つまたは複数のリモートコンピュータ６６０との論理接続を使用するネットワーク環境で動作できることを理解されたい。リモートコンピュータ６６０は、ワークステーション、サーバコンピュータ、ルータ、ピアデバイス、あるいは他の一般的なネットワークノードであり、図を簡潔にするために図６にはメモリ記憶装置６６２のみを示すが、通例は、コンピュータ６０２に関連して上述した要素の多くまたはすべてを含む。図６に示す論理接続は、ＬＡＮ（ローカルエリアネットワーク）６６４とＷＡＮ（ワイドエリアネットワーク）６６６を含むことができる。このようなネットワーク環境は、オフィス、企業内のコンピュータネットワーク、イントラネット、インターネットに一般に見られる。
【００３８】
例えばＬＡＮネットワーク環境で使用される場合、コンピュータ６０２は、ネットワークインタフェースあるいはアダプタ６６８を通じてローカルネットワーク６６４に接続される。ＷＡＮネットワーク環境で使用される場合、コンピュータ６０２は通例、モデム（電話モデム、ＤＳＬモデム、ケーブルモデム等）６７０を含むか、ＬＡＮ上の通信サーバに接続されるか、インターネットなどのＷＡＮ６６６を通じて通信を確立するための他の手段を備える。モデム６７０は、コンピュータ６０２に対して内部にある場合も外部にある場合もあり、シリアルポートインタフェース６４４を介してシステムバス６０８に接続される。ネットワーク環境では、プログラムモジュール（アプリケーションプログラム６３４を含む）および／またはプログラムデータ６３８は、遠隔のメモリ記憶装置６６２に記憶されることができる。図のネットワーク接続は例示的なものであり、本発明の態様を実施する時にコンピュータ６０２と６６０の間に通信リンクを確立する他の手段（有線または無線）を使用できることは理解されよう。
【００３９】
コンピュータプログラミングの当業者の慣行に従い、特に断らない場合は、行為と、コンピュータ６０２やリモートコンピュータ６６０などのコンピュータによって行われる動作の記号的表現を参照して本発明を説明した。そのような行為と動作は、コンピュータによって実行されるものと述べられる箇所もある。それら行為と記号的に表される動作は、結果として電気信号表現を変形あるいは変化させる、データビットを表す電気信号の処理装置６０４による操作と、メモリシステム（システムメモリ６０６、ハードドライブ６１６、フロッピー（登録商標）ディスク６２０、ＣＤ−ＲＯＭ６２４、リモートメモリ６６２を含む）中のメモリ位置へのデータビットの保持を含み、それにより、コンピュータシステムの動作と信号の他の処理を再構成あるいはその他の形で変更することは理解されよう。そのようなデータビットが保持されるメモリ位置は、そのデータビットに対応する特定の電気的特性、磁気的特性、あるいは光学的特性を有する物理的な位置である。
【００４０】
図７は、本発明が対話することができるコンピューティング環境例７００の別のブロック図である。システム７００はさらに、１つまたは複数のクライアント７０２を含むシステムを示す。クライアント７０２は、ハードウェアおよび／またはソフトウェア（スレッド、プロセス、コンピューティングデバイス等）である。システム７００は、１つまたは複数のサーバ７０４も含む。サーバ７０４もハードウェアおよび／またはソフトウェア（スレッド、プロセス、コンピューティングデバイス等）である。クライアント７０２とサーバ７０４間の可能な通信の１つは、２つ以上のコンピュータプロセス間で送信されるように適合されたデータパケットの形態である。システム７００は、クライアント７０２とサーバ７０４間の通信を助けるために用いることができる通信フレームワーク７０８を含む。クライアント７０２は、クライアント７０２にとってローカルな情報を記憶するために用いることができる１つまたは複数のクライアントデータストア７１０に接続される。同様に、サーバ７０４は、サーバ７０４にとってローカルな情報を記憶するために用いることができる１つまたは複数のサーバデータストア７０６に接続される。
【００４１】
本発明のシステムおよび／または方法は、情報の関連付けを助けるコンピュータコンポーネントと非コンピュータ関連コンポーネントで同様に利用できることは理解されたい。さらに、当業者は、本発明のシステムおよび／または方法は、これらに限定しないが、コンピュータ、サーバ、および／またはハンドヘルド型の電子デバイス等を含む、広範囲の電子関連技術で用いることが可能であることを認識されよう。
【００４２】
上記の説明は、本発明の例を含む。言うまでもなく、本発明を説明する目的で構成要素または方法論のあらゆる着想可能な組合せを記載することは可能でなく、当業者には、本発明のさらなる多くの組合せおよび置換えが可能であることが認識されよう。したがって、本発明は、頭記の特許請求の範囲の主旨および範囲内に該当する、そのような変更、形態、および変種をすべて包含するものとする。さらに、詳細な説明または特許請求の範囲で用語「〜を含む」が用いられる限りでは、この語は、請求項で接続語として用語「〜を備える」が用いられる場合の解釈と同様に包含的な意味とする。
【図面の簡単な説明】
【００４３】
【図１】本発明の一態様による補足情報関連付けシステムのブロック図である。
【図２】本発明の一態様による補足情報関連付けシステムの別のブロック図である。
【図３】本発明の一態様による、ネットワークコンテンツの場所への補足情報の関連付けを容易にする方法の流れ図である。
【図４】本発明の一態様による、ネットワークコンテンツの場所への広告の関連付けを容易にする方法の流れ図である。
【図５】本発明の一態様による、ネットワークコンテンツの場所への広告の関連付けらについての対価の獲得を容易にする方法の流れ図である。
【図６】本発明が機能することができる例示的動作環境の図である。
【図７】本発明が機能することができる別の例示的動作環境の図である。
【符号の説明】
【００４４】
１０２  補足情報関連付けコンポーネント
１０４  場所
１０６  関連付けられた補足情報
１０８  補足情報
１１０  アクセスされた場所
２０２  補足情報関連付けコンポーネント
２０４  ネットワークコンテンツの場所
２０６  関連付けられた補足情報
２０８  関連付けコンポーネント
２１０  配布コンポーネント
２１２  特定手段のファンクション
２１４  補足情報
２１６  ＵＲＬ、ドメイン、ルートドメイン、広告、フォームデータ等
２１８  アクセスされた場所
２２０  ＵＲＬ、ドメイン、ルートドメイン、部分文字列、フォームデータ等
６０４  処理装置
６０６  システムメモリ
６０８  バス
６２６  ハードディスクドライブインタフェース
６２８  磁気ディスクドライブインタフェース
６３０  光学ドライブインタフェース
６３２  オペレーティングシステム
６３４  アプリケーションプログラム
６３６  他のプログラムモジュール
６３８  プログラムデータ
６４４  シリアルポートインタフェース
６４６  モニタ
６４８  ビデオアダプタ
６６０  リモートコンピュータ
６６４  ＬＡＮ
６６６  ＷＡＮ
６６８  ネットワークインタフェース
６７０  モデム
７０２  クライアント
７０４  サーバ
７０６  サーバデータストア
７０８  通信フレームワーク
７１０  クライアントデータストア
【図１】
2006285979.tif 000003
【図２】
2006285979.tif 000004
【図３】
2006285979.tif 000005
【図４】
2006285979.tif 000006
【図５】
2006285979.tif 000007
【図６】
2006285979.tif 000008
【図７】
2006285979.tif 000009